(57)【要約】【課題】            コネクタのハウジング内に配される第１と第２コンタクトは、ハウジングの前方開口部にアクチュエータを配し、両コンタクトのアームの前方をアクチュエータのカム部材を用いて下方へ弾性変形させる。コンタクトのアームとカム部材との当接点からアーム自由端迄の長さが短く、アームの弾性変形領域が小さい。【解決手段】        ハウジング（３）の開口部（２）を後方に設け、アクチュエータ（６）を後方開口部（２）に配す。コンタクト（４）の上側アーム（９）をハウジング（３）の後方から前方へ延在させ、アクチュエータ（６）のカム部材（１１）を上側アーム（９）の後方部へ当接させる。上側アーム（９）の自由端部の弾性変形領域は大となる。【選択図】          図１
2006202674.tif 000002
【特許請求の範囲】
【請求項１】
上部の後方に開口部及び前方に接続対象物の挿入口を有するハウジングと、該ハウジング内に収容される第１と第２コンタクトと、ハウジングの後方開口部に位置しかつ開位置と閉位置とをとるアクチュエータとを有し、第１コンタクトが後方の基部より前方に延在する上側アームと、上側アームとは離間して前方に延在しかつ接点を有する下側アームとを有し、接続対象物が挿入されかつアクチュエータ閉時上側アームが接続対象物を下側アームに押しつけることを特徴とするコネクタ。
【請求項２】
第２コンタクトが後方の基部より前方へ延在しかつ接点を有するアームを有し、第１コンタクトの接点と第２コンタクトの接点とが千鳥状となっており、接続対象物の下面に接する請求項１記載のコネクタ。
【請求項３】
第１コンタクトの上側アームと基部との結合部より前方でアクチュエータの一部が上側アームに当接し、上側アームを下側アーム側に弾性変形させる請求項１記載のコネクタ。
【請求項４】
アクチュエータが貫通孔を有し、第２コンタクトの一部が貫通孔に挿入される請求項２又は３記載のコネクタ。
【請求項５】
上部の後方に開口部及び前方に接続対象物の挿入口を有するハウジングと、該ハウジング内に収容される第１と第２コンタクトと、ハウジングの後方開口部に位置するアクチュエータとを有し、第２コンタクトが基部より前方に延在しかつ接点を有するアームと、アクチュエータのカム部材と接する係合片とを有し、第１コンタクトがアクチュエータの閉操作により下向きに弾性変形するアームを有するコネクタ。
【請求項６】
第１コンタクトのアームと基部との結合部より前方でアクチュエータの一部がアームに当接し、接点を有するアームを下向きに弾性変形させる請求項５記載のコネクタ。
【請求項７】
第１コンタクトのアームが横Ｕ字部を介して基部に一体に結合されている請求項６記載のコネクタ。
【請求項８】
第２コンタクトの略Ｔ字状の基部の上部より略Ｌ字状に延出するアームを有する請求項６又は７記載のコネクタ。
【発明の詳細な説明】
【技術分野】
【０００１】
本発明は、フレキシブルプリント基板（ＦＰＣ）やフレキシブルフラットケーブル（ＦＦＣ）等の接続対象物用コネクタに関する。
【背景技術】
【０００２】
パーソナルコンピューターやテレビジョン受像器、ゲーム機器、携帯電話等の急速な普及に伴い、プリント配線板等にコネクタを半田付けし、このコネクタにフレキシブルプリント基板（ＦＰＣ）やフレキシブルフラットケーブル（ＦＦＣ）等の接続対象物を挿入し、コネクタ内の各コンタクトにＦＰＣやＦＦＣ等の接続対象物の各ケーブルを電気的に導通状態となるよう圧接させている。
各種の電子の電気回路にはこの種のコネクタは欠かせない。即ち、電気回路や多数の電子部品との電気的接続にはコネクタは必須部品となっている。
【０００３】
この種のコネクタは合成樹脂製のハウジング内に導電材からなるコンタクトを複数個並設して配した構成を有し、ハウジング内にＦＰＣ又はＦＦＣを挿入した後、ハウジングに回動自在に支持されたアクチュエータを動作させ、各コンタクトの接触子即ち接点を接続対象物の対応接点部に夫々圧接させて電気的導通関係を得ている。
【０００４】
【特許文献１】特許第３２２２８４２号明細書
【特許文献２】特開２００３−４５５２７号公報
【発明の開示】
【発明が解決しようとする課題】
【０００５】
従来のコネクタは、絶縁ハウジング内に奇数極と偶数極とを構成するコンタクトを配し、ハウジングの前方開口部に配したアクチュエータを閉操作することにより、アクチュエータのカム部材をコンタクトのアームに圧接し、アームを弾性変形させて接続対象物と接点との接触圧を確保している。
【０００６】
しかしながら、アクチュエータのカム部材がアームの自由端部の手前側に当接するので、アームの弾性変形量は少なく、接触圧が一定しないという不具合が生じている。
さらに、接続対象物をコネクタに装着後、接続対象物のひき回しにより、アクチュエータが開き易く、接続対象物がハウジングより抜け落ちる不具合が生じる。
【０００７】
それ故に、本発明は前述した従来技術の不具合を解消させることを解決すべき課題とする。
【課題を解決するための手段】
【０００８】
本発明は、前述した課題を解決するために、基本的には、ハウジングの後方に開口部を設け、この後方開口部にアクチュエータを配し、コンタクトの基部（ハウジングの後方に位置）に近い部分でアクチュエータのカム部材をアームに接触させる技術手段を用いる。
【０００９】
本発明によれば、上部の後方に開口部及び前方に接続対象物の挿入口を有するハウジングと、該ハウジング内に収容される第１と第２コンタクトと、ハウジングの後方開口部に位置しかつ開位置と閉位置とをとるアクチュエータとを有し、第１コンタクトが後方の基部より前方に延在する上側アームと、上側アームとは離間して前方に延在しかつ接点を有する下側アームとを有し、接続対象物が挿入されかつアクチュエータ閉時上側アームが接続対象物を下側アームに押しつけることを特徴とするコネクタが提供される。
【００１０】
さらに、本発明によれば、上部の後方に開口部及び前方に接続対象物の挿入口を有するハウジングと、該ハウジング内に収容される第１と第２コンタクトと、ハウジングの後方開口部に位置するアクチュエータとを有し、第２コンタクトが基部より前方に延在しかつ接点を有するアームと、アクチュエータのカム部材と接する係合片とを有し、第１コンタクトがアクチュエータの閉操作により下向きに弾性変形するアームを有するコネクタが提供される。
【００１１】
好ましくは、第２コンタクトが後方の基部より前方へ延在しかつ接点を有するアームを有し、第１コンタクトの接点と第２コンタクトの接点とが千鳥状となっており、接続対象物の下面に接する。さらに、第１コンタクトの上側アームと基部との結合部より前方でアクチュエータの一部が上側アームに当接し、上側アームを下側アーム側に弾性変形させる。
【００１２】
さらに好ましくは、第１コンタクトのアームと基部との結合部より前方でアクチュエータの一部がアームに当接し、アームを下向きに弾性変形させる。
【発明の効果】
【００１３】
本発明によれば、アームの長さを充分とり、アームの弾性変形領域を大きくさせ、接続対象物の挿入口を大きくとりかつアームの接続対象物への接触圧を一定にかつ適正に保ち得る。
ハウジングの開口を後方に配したことにより、接続対象物挿入口をハウジングの上下壁により画定させ得るので、接続対象物のひき回しの範囲を小さくさせ、接続対象物のハウジングよりの抜け落ちはない。
【発明を実施するための最良の形態】
【００１４】
図１乃至４に本発明の第１実施例を示す。コネクタ１は、後方開口部２を有するハウジング３を有す。絶縁材からなるハウジング３内に導電材の第１コンタクト４と第２コンタクト５を配し、後方開口部２にハウジング３の側壁に枢支されたアクチュエータ６を配す。ハウジング３は、接続対象物の挿入口７を有す。
【００１５】
第１コンタクト４は、ハウジング３の前方より内部に挿入され、基部８がハウジング３の底壁に沿い、その先端がハウジング３の孔に挿入される。基部８の後部より上側アーム９を一体に延在させ、下側アーム１０を上側アーム９と離間して基部８の適所より延在させる。上側アーム９の主要部がハウジング３の上壁に直線的に沿い、主要部と基部８との間の段部に上向きの当接部１２を設け、当接部１２はアクチュエータ６のカム部材１１と対向させる。上側アーム９はハウジング３の後方より前方へと延在し、下側アーム１０は接点１３を有す。
【００１６】
第２コンタクト５は、ハウジング３の後方よりその内部に挿入され、その基部１４の適所より前方へ延在し接点１５を有するアーム１８を設ける。接点１５は下側アーム１０の接点１３より前方に位置する。第１と第２コンタクト４，５は複数個隣り合わせて複数枚配し、両接点１３，１５を千鳥状とさせ、接続対象物の下面に接触する。
アクチュエータ６は貫通孔１６を有し、この貫通孔１６に基部１４の係合片１７を挿入する。係合片１７はカム部材１１に接する。
【００１７】
接続対象物をハウジング内に挿入した後、アクチュエータ６を図１と図３に示す開位置から図２と図４に示す閉位置へ倒すと、カム部材１１が当接部１２を押し下げ、上側アーム９の主要部を下側へと弾性変形させ、接続対象物を接点１３，１５へ弾力的に圧接させる。上側アーム９の主要部の弾性変形領域はアクチュエータ６を後方へ位置させることで大きく確保可能となる。
【００１８】
図５乃至８に示す第２実施例は、第１コンタクト４をハウジング３の後方より内部に挿入し、第２コンタクト５をハウジング３の前方より内部に挿入したもので、図１乃至４に示す第１実施例と基本構成は同じである。
第１コンタクト４の下側アーム１０の接点１３は、第２コンタクト５のアーム１８の接点１５より前方に位置し、両接点１３，１５が千鳥状をなす。後方開口部２に配したアクチュエータ６の貫通孔１６には係合片１７が前方より挿入される。
【００１９】
図５乃至８に示す構成中、図１乃至４に示す構成と同一部分には同符号を記し、その説明を省略する。又、アクチュエータ６の開閉による第１コンタクト４の上側アーム９の弾性変形は第１と第２実施例ともに同じであるので、ここではその説明を省略する。
【００２０】
図９と図１０に第３実施例を示すが、図９と図１０は第２実施例の図５と図７に対応する。本例では下側アームの先端がハウジング３の穴に係合し上側アーム９に接点１３’を設けている。又、第２コンタクト５のアーム１８の接点１５が第１コンタクト４の上側アーム９の接点１３’と対向し、接点１３’，１５は千鳥状に配されてはいない。
第３実施例も、第１コンタクト５の上側アーム９を長くとり、弾性変形領域を大としているので、挿入口７を接点１３’，１５の接続対象物への接触圧を適正に保つことができる。
【００２１】
第１と第２コンタクト４，５のハウジング３の外部に位置する部分は回路への半田付けに利用される。
第３実施例は、第１コンタクト４が基部８より前方へと延在するアーム９を有し、アーム９の接点１３’が第２コンタクト５のアーム１８の接点１５と対向し、接続対象物の両面への電気的接触を可能とさせる。アーム９の当接部１２はアーム９の基部８への結合部に近い部分に位置し、カム部１１が当接部１２を押圧するので、アーム９の先端部の弾性変形領域を大とさせ得る。本例においても、ハウジング３の後方に開口部２を配し、この開口部２にアクチュエータ６を位置させているので、アーム９の長さを大きくとることができる。
【００２２】
図１１乃至１４に第４実施例を示す。その基本構成は、図１乃至１０に示す例と共通するので、同一符号を記し、その説明の一部を省略する。
図１１に示すように、第１コンタクト４の上側アーム９は基部８との結合部に横Ｕ字部２０を設け、支点２１を中心とする上側アーム９の弾性変形を可能にする。図１２に示すように、アクチュエータ６を閉とすると、カム部材１１が当接部１２を押し下げ、上側アーム９の先端部を下方へと弾性変形させる。横Ｕ字部２０は上側アーム９の長さを長くさせかつ上側アーム９の弾性変形の領域を大とさせ得る。
【００２３】
ハウジング３の後方開口部２にアクチュエータ６を配し、横Ｕ字部２０をハウジング３の後方に向けて延在させ、上側アーム９の長さを大きくとるようにする。横Ｕ字部２０は、アクチュエータ６を閉としたときアクチュエータ６の下側に位置する。即ち、上側アーム９はハウジング３の全長を充分に活用してその長さを大とさせている。
【００２４】
図１３と図１４に示すように、第２コンタクト５は接点１５を有するアーム１８を略Ｔ字状の基部１４の上部より略Ｌ字状に延在させ、支点２２を中心とするアーム１８の弾性変形を可能にさせる。Ｔ字状の基部１４の上方後部に係合片１７をアクチュエータ６の貫通孔１６に挿入し、カム部材１１が係合片１７の下側に接し、係合片１７により動きが案内される。
上側アーム９の接点１３’は、アーム１８の接点１５と対向し、接続対象物の両面への接点１３’，１５の電気的接触を可能にする。
【図面の簡単な説明】
【００２５】
【図１】本発明の第１実施例のアクチュエータ開時の奇数極の断面図である。
【図２】本発明の第１実施例のアクチュエータ閉時の奇数極の断面図である。
【図３】本発明の第１実施例のアクチュエータ開時の偶数極の断面図である。
【図４】本発明の第１実施例のアクチュエータ閉時の偶数極の断面図である。
【図５】本発明の第２実施例のアクチュエータ開時の奇数極の断面図である。
【図６】本発明の第２実施例のアクチュエータ閉時の奇数極の断面図である。
【図７】本発明の第２実施例のアクチュエータ開時の偶数極の断面図である。
【図８】本発明の第２実施例のアクチュエータ閉時の偶数極の断面図である。
【図９】本発明の第３実施例のアクチュエータ開時の奇数極の断面図である。
【図１０】本発明の第３実施例のアクチュエータ開時の偶数極の断面図である。
【図１１】本発明の第４実施例のアクチュエータ開時の奇数極の断面図である。
【図１２】本発明の第４実施例のアクチュエータ閉時の奇数極の断面図である。
【図１３】本発明の第４実施例のアクチュエータ開時の偶数極の断面図である。
【図１４】本発明の第４実施例のアクチュエータ閉時の偶数極の断面図である。
【符号の説明】
【００２６】
１    コネクタ
２    後方開口部
３    ハウジング
４，５    コンタクト
６    アクチュエータ
７    挿入口
８    基部
９    上側アーム
１０    下側アーム
１１    カム部材
１２    当接部
１３，１５    接点
１６    貫通孔
１７    係合片
１８    アーム
２０    横Ｕ字部
２１，２２    支点
【図１】
2006202674.tif 000003
【図２】
2006202674.tif 000004
【図３】
2006202674.tif 000005
【図４】
2006202674.tif 000006
【図５】
2006202674.tif 000007
【図６】
2006202674.tif 000008
【図７】
2006202674.tif 000009
【図８】
2006202674.tif 000010
【図９】
2006202674.tif 000011
【図１０】
2006202674.tif 000012
【図１１】
2006202674.tif 000013
【図１２】
2006202674.tif 000014
【図１３】
2006202674.tif 000015
【図１４】
2006202674.tif 000016